Podtech/llm-jp-corpus-v4-ja_patent huggingface dataset:
【手続補正書】
【提出日】平成22年2月17日(2010.2.17)
【手続補正１】
【補正対象書類名】特許請求の範囲
【補正対象項目名】全文
【補正方法】変更
【補正の内容】
【特許請求の範囲】
【請求項１】
Ｘ線を被検体に照射するＸ線源と、
被検体を介して前記Ｘ線源と対面しＸ線及び光を検出する第１検出器と、
被検体の外表面より放出された光を前記第１検出器の受光面に導く導光部と、
前記第１検出器の検出結果を処理する処理部とを有し、
前記処理部は、前記Ｘ線源がＸ線を照射する照射期間に前記第１検出器が検出したＸ線の信号を第１信号とし、前記照射期間以外の期間に前記第１検出器が検出した光の信号を第２信号として処理することを特徴とするイメージング装置。
【請求項２】
請求項１に記載のイメージング装置において、前記第１検出器の受光部がＸ線及び光に感度を有する光導電体材料で形成されていることを特徴とするイメージング装置。
【請求項３】
請求項１に記載のイメージング装置において、前記第１検出器の受光部がシンチレータ材料で形成されており、前記シンチレータ材料は可視光線以上赤外線以下の範囲の波長を有する光の一部を透過することを特徴とするイメージング装置。
【請求項４】
請求項１に記載のイメージング装置において、前記第１検出器はＸ線に感度を有するＸ線検出層と光に感度を有する光検出層との２層で構成されていることを特徴とするイメージング装置。
【請求項５】
請求項１に記載のイメージング装置において、前記導光部は被検体の内部で散乱したＸ
線の一部を除去する機能を有することを特徴とするイメージング装置。
【請求項６】
Ｘ線を被検体に照射するＸ線源と、
被検体を介して前記Ｘ線源と対面しＸ線及び光を検出する第１検出器と、
前記第１検出器の検出結果を処理する処理部とを有し、
前記処理部は、前記Ｘ線源がＸ線を照射する照射期間に前記第１検出器が検出したＸ線の信号を第１信号とし、前記照射期間以外の期間に前記第１検出器が検出した光の信号を第２信号として処理し、前記第１信号と前記第２信号を同一画像上に合成する機能を有することを特徴とするイメージング装置。
【請求項７】
Ｘ線を被検体に照射するＸ線源と、
被検体を介して前記Ｘ線源と対面しＸ線及び光を検出する第１検出器と、
光を被検体に照射する光源と、
被検体に接触した状態で被検体を支持する支持部と、
前記第１検出器の検出結果を処理する処理部とを有し、
前記支持部が前記光源より照射された光を被検体に導く導光機能を有し、
前記処理部は、前記Ｘ線源がＸ線を照射する照射期間に前記第１検出器が検出したＸ線の信号を第１信号とし、前記照射期間以外の期間に前記第１検出器が検出した光の信号を第２信号として処理することを特徴とするイメージング装置。
【請求項８】
Ｘ線を被検体に照射するＸ線源と、
被検体を介して前記Ｘ線源と対面しＸ線及び光を検出する第１検出器と、
前記Ｘ線源と被検体の間に配置され光を検出する第２検出器と、
前記第１及び第２検出器の検出結果を処理する処理部とを有し、
前記処理部は、前記Ｘ線源がＸ線を照射する照射期間に前記第１検出器が検出したＸ線の信号を第１信号とし、前記照射期間以外の期間に前記第１検出器が検出した光の信号を第２信号として処理し、
前記処理部は、前記Ｘ線源がＸ線を照射する照射期間以外の期間に前記第２検出器が検出する信号を第３信号として処理し、前記第１信号と第２信号と第３信号を同一画像上に合成する機能を有することを特徴とするイメージング装置。
【請求項９】
請求項８に記載のイメージング装置において、前記Ｘ線源と被検体の間に配置される反射鏡と、前記反射鏡により反射される光を集光するレンズとを有し、前記第２検出器は前記レンズにより集光された光を検出することを特徴とするイメージング装置。
【請求項１０】
請求項８に記載のイメージング装置において、前記被検体のサイズを測定するサイズ測定手段を有し、前記処理部は、前記サイズ測定手段の測定結果に応じて前記第１信号と第３信号の合成位置を調整する機能を有することを特徴とするイメージング装置。
【請求項１１】
請求項８に記載のイメージング装置において、前記処理部は、前記第２信号と前記第３信号に基づいて被検体内部における発光または吸光強度分布を計算する機能を有することを特徴とするイメージング装置。
【請求項１２】
Ｘ線を被検体に照射するＸ線源と、
被検体を介して前記Ｘ線源と対面しＸ線を検出する第１検出器と、
前記Ｘ線源と被検体の間に配置され光を検出する第２検出器と、
被検体と前記第１検出器の間に配置され光を検出する第３検出器と、
前記第１〜３検出器の検出結果を処理する処理部とを有し、
前記処理部は、前記Ｘ線源がＸ線を照射する照射期間に前記第１検出器が検出するＸ線の信号を第１信号とし、前記照射期間以外の期間に前記第３検出器及び前記第２検出器が検出する光の信号をそれぞれ第２信号及び第３信号として処理することを特徴とするイメージング装置。
【請求項１３】
請求項１２に記載のイメージング装置において、前記処理部は、前記第１信号と第２信号と第３信号を同一画像上に合成する機能を有することを特徴とするイメージング装置。
【請求項１４】
請求項１３に記載のイメージング装置において、前記被検体のサイズを測定するサイズ測定手段を有し、前記処理部は、前記サイズ測定手段の測定結果に応じて前記第１信号と第３信号の合成位置を調整する機能を有することを特徴とするイメージング装置。
【請求項１５】
請求項１２に記載のイメージング装置において、前記処理部は、前記第２信号と前記第３信号に基づいて被検体内部における発光または吸光強度分布を計算する機能を有することを特徴とするイメージング装置。
【請求項１６】
Ｘ線を被検体に照射するＸ線源と、
前記被検体を介して前記Ｘ線源と対面しＸ線を検出する第１検出器と、
前記Ｘ線源と前記被検体の間に配置される第１反射鏡と、
前記第１反射鏡により反射される光を集光する第１レンズと、
前記第１レンズにより集光された光を検出する第２検出器と、
前記被検体と前記第１検出器の間に配置される第２反射鏡と、
前記第２反射鏡により反射される光を集光する第２レンズと、
前記第２レンズにより集光された光を検出する第３検出器と、
前記第１〜３検出器の検出結果を処理する処理部とを有し、
前記処理部は、前記Ｘ線源が前記Ｘ線を照射する照射期間に前記第１検出器が検出するＸ線の信号を第１信号とし、前記照射期間以外の期間に前記第３検出器及び前記第２検出器が検出する光の信号をそれぞれ第２信号及び第３信号として処理することを特徴とするイメージング装置。
【請求項１７】
請求項１６に記載のイメージング装置において、被検体のサイズを測定するサイズ測定手段を有し、前記処理部は、前記サイズ測定手段の測定結果に応じて前記第１信号と第３信号の合成位置を調整し、前記第１信号と第２信号と第３信号を同一画像上に合成する機能を有することを特徴とするイメージング装置。
【請求項１８】
請求項１６に記載のイメージング装置において、前記処理部は、前記第２信号と前記第３信号に基づいて被検体内部における発光または吸光強度分布を計算する機能を有することを特徴とするイメージング装置。
【手続補正書】
【提出日】平成22年3月11日(2010.3.11)
【手続補正１】
【補正対象書類名】特許請求の範囲
【補正対象項目名】全文
【補正方法】変更
【補正の内容】
【特許請求の範囲】
【請求項１】
遊技機設置島に固定される縦長矩形状の外枠と、
前記外枠の前面一側に軸支されて開閉自在に設けられた本体枠と、
前記本体枠内に収められ、遊技領域が形成された遊技板部と、
前記遊技領域が視認可能とされる開口窓部を有し、前記本体枠に対して開閉自在に設けられる前面扉枠と、
前記遊技領域に設けられる始動口に遊技球が入球されたことに基づいて大当たりについての抽選処理を行う遊技制御装置と、
前記遊技制御装置により前記大当たりが当選されたときに開放される大入賞口に遊技球が入球されたことに基づいて当該大入賞口への遊技球の入球数に応じた分だけの遊技球を遊技者に払い出す払出制御装置と、
前記遊技制御装置による抽選処理の結果が遊技者に示唆されるように画像図柄が複数列にて変動表示演出される表示面を有する演出画像表示装置と、
前記抽選処理が行われたとき、前記画像図柄についての変動表示演出にかかる演出制御を行う演出制御装置と、を備え、
前記払出制御装置による遊技者への遊技球の払い出しは、前記本体枠の裏側上部に設けられた賞球タンクからの払出通路を通じて行われる遊技機において、
前記本体枠は、
前記外枠の両側面内壁に隣接するように設けられる一対の本体枠側壁部、及び前記外枠の上面内壁に隣接するように設けられる本体枠上壁部を、前記外枠の前面からその後面を超えた後方の位置まで略立設された壁体として有するものであり、
前記遊技板部は、
前記演出画像表示装置、及び前記演出制御装置、及び前記遊技制御装置、及びそれら制御装置を覆う透明樹脂性の箱状からなる基板ホルダが各々取り付けられた１つの遊技演出制御ユニットとして、前記一対の本体枠側壁部及び前記本体枠上壁部により囲繞されて形成される前記本体枠内の大収容空間に収容されるものであり、
前記箱状からなる基板ホルダの前側周縁には、前記遊技板部の背面周縁との間で固定されて取り付けられるフランジ部が形成されてなり、
前記遊技演出制御ユニットが前記大収容空間に収容されたときの前記遊技制御装置に対する電源ラインは、前記本体枠側の前記大収容空間の下方に取り付けられた前記払出制御装置を介して、前記払出制御装置との間の情報授受ラインと共有された１つの主ドロワコネクタによって前記遊技制御装置と前記払出制御装置とが電気的に接続されることによって形成されてなり、
前記演出制御装置は、前記画像図柄についての変動表示演出にかかる演出制御のほか、前記前面扉枠に設けられている複数種の枠側演出装置の駆動にかかる演出制御を行うものであって、前記遊技演出制御ユニットが前記大収容空間に収容されたときの前記演出制御装置と前記複数種の枠側演出装置との間の各通信ラインは、１つの副ドロワコネクタによって前記演出制御装置と前記複数種の枠側演出装置とがまとめて電気的に接続されることによって形成されてなり、
前記主ドロワコネクタのうちの前記遊技演出制御ユニット側に設けられるユニット側主ドロワコネクタ、及び前記副ドロワコネクタのうちの前記遊技演出制御ユニット側に設けられるユニット側副ドロワコネクタを、前記基板ホルダの下部周縁の前記フランジ部が設けられる箇所にて後方を向くようにそれぞれ固定配置するとともに、前記主ドロワコネクタのうちの前記本体枠側に設けられる枠側主ドロワコネクタ、及び前記副ドロワコネクタのうちの前記本体枠側に設けられる枠側副ドロワコネクタを、前記大収容空間の下部にて前方を向くようにそれぞれ固定配置することによって、前記本体枠の大収容空間に前記遊技演出制御ユニットが収容されるだけで前記ユニット側主ドロワコネクタ及び前記ユニット側副ドロワコネクタと、前記枠側主ドロワコネクタ及び前記枠側副ドロワコネクタとがそれぞれ直接接続されるようにした
ことを特徴とする遊技機。
【請求項２】
請求項１に記載の遊技機において、
遊技者が操作可能な操作ハンドルがさらに設けられてなり、該操作ハンドルの操作に応じて前記遊技領域に遊技球が打ち込まれる遊技機。
【請求項３】
前記操作ハンドルは、前記前面扉枠にて設けられてなる
請求項２に記載の遊技機。
【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
撮像光学系により結像された被写体像を光電変換する撮像素子と、前記撮像素子に結像される被写体像と前記撮像素子とを相対的に移動させるための移動手段とを備える撮像装置において、
複数の図形から一つを選択する選択手段と、
前記撮像装置のパン動作量を検出する検出手段と、
前記選択手段により選択された図形の軌跡に、前記パン動作量を加算して算出した目標移動量に従って、前記移動手段を制御して前記撮像素子に結像される被写体像と前記撮像素子とを相対的に移動させる制御手段とを有することを特徴とする撮像装置。
【請求項２】
前記制御手段は、手振れを検出する手振れ検出手段と、前記手振れ検出手段の出力に基づいて、前記手振れを打ち消すための前記移動手段による補正移動量を算出する算出手段とを有し、前記目標移動量に前記補正移動量を重畳した量に従って、前記移動手段を制御することを特徴とする請求項１に記載の撮像装置。
【請求項３】
撮像光学系により結像された被写体像を光電変換する撮像素子と、前記撮像素子に結像される被写体像と前記撮像素子とを相対的に移動させるための移動手段とを備える撮像装置の制御方法であって、
複数の図形から一つの選択を受け付ける選択工程と、
前記撮像装置のパン動作量を検出する検出工程と、
前記選択工程により受け付けられた図形の軌跡に、前記パン動作量を加算して算出した目標移動量に従って、前記移動手段を制御して前記撮像素子に結像される被写体像と前記撮像素子とを相対的に移動させる制御工程とを有することを特徴とする撮像装置の制御方法。
【請求項４】
請求項３に記載の撮像装置の制御方法をコンピュータに実行させることを特徴とするプログラム。
【手続補正２】
【補正対象書類名】明細書
【補正対象項目名】０００７
【補正方法】変更
【補正の内容】
【０００７】
本発明は、上記の問題点に鑑みてなされたものであり、被写体像に含まれる輝点で輝線を描画する場合において、その輝点で移動手段による可動範囲を超えた図形を撮影画像に描画することができる撮像装置及びその制御方法、並びにプログラムを提供することを目的とする。
【手続補正３】
【補正対象書類名】明細書
【補正対象項目名】０００８
【補正方法】変更
【補正の内容】
【０００８】
上記目的を達成するために、請求項１に記載の撮像装置は、撮像光学系により結像された被写体像を光電変換する撮像素子と、前記撮像素子に結像される被写体像と前記撮像素子とを相対的に移動させるための移動手段とを備える撮像装置において、複数の図形から一つを選択する選択手段と、前記撮像装置のパン動作量を検出する検出手段と、前記選択手段により選択された図形の軌跡に、前記パン動作量を加算して算出した目標移動量に従って、前記移動手段を制御して前記撮像素子に結像される被写体像と前記撮像素子とを相対的に移動させる制御手段とを有することを特徴とする。
【手続補正４】
【補正対象書類名】明細書
【補正対象項目名】０００９
【補正方法】変更
【補正の内容】
【０００９】
上記目的を達成するために、請求項３に記載の撮像装置の制御方法は、撮像光学系により結像された被写体像を光電変換する撮像素子と、前記撮像素子に結像される被写体像と前記撮像素子とを相対的に移動させるための移動手段とを備える撮像装置の制御方法であって、複数の図形から一つの選択を受け付ける選択工程と、前記撮像装置のパン動作量を検出する検出工程と、前記選択工程により受け付けられた図形の軌跡に、前記パン動作量を加算して算出した目標移動量に従って、前記移動手段を制御して前記撮像素子に結像される被写体像と前記撮像素子とを相対的に移動させる制御工程とを有することを特徴とする。
【手続補正５】
【補正対象書類名】明細書
【補正対象項目名】００１１
【補正方法】変更
【補正の内容】
【００１１】
本発明によれば、被写体像と撮像素子とを相対的に移動させる移動手段を利用して、被写体像に含まれる輝点で輝線を描画する場合において、その輝点で移動手段による可動範囲を超えた図形を撮影画像に描画することができる。
【手続補正６】
【補正対象書類名】明細書
【補正対象項目名】００９８
【補正方法】変更
【補正の内容】
【００９８】
ところで、上述した軌跡描画モードでは、被写体像に輝点が存在する場合に、撮像素子２１の露光中に補正レンズユニット１１ｃを駆動して、その輝点でユーザが選択した図形を撮影画像に描画したが、補正レンズユニット１１ｃは可動範囲を有するため、その輝点で補正レンズユニット１１ｃの可動範囲を超えた形状（以下、「長大形状」という。）を撮影画像に描画することはできない。具体的には、被写体像に存在する輝点で図１０に示すような長大形状であるコイル状の形状を撮影画像に描画しようとすると、図中網掛け部分に囲まれた白抜き部分が補正レンズユニット１１ｃの可動範囲であるため、そのコイル状の形状を撮影画像に描画することはできない。そこで、本実施の形態では、ユーザが撮像素子２１の露光中に撮像装置１を移動させる動作（基本的にはパンニング若しくはチルティングと呼ばれる動作。途中で撮像装置１を移動させる方向を変更するような複雑な動作も含む。以下、これらを総称して「パン動作」と呼ぶ。）を利用して、被写体像に存在する輝点で長大形状を撮影画像に描画する。以下、その描画方法について具体的に説明する。
【手続補正７】
【補正対象書類名】明細書
【補正対象項目名】０１６１
【補正方法】変更
【補正の内容】
【０１６１】
続くステップＳ１０３５では、駆動制御部３１による軌跡駆動中にＳＷ２がオンされたか否かを判別する。駆動制御部３１による軌跡駆動中にＳＷ２がオンされると、軌跡駆動を停止して（ステップＳ１０３６）、後述するステップＳ１０４７に進む。一方、駆動制御部３１による軌跡駆動中にＳＷ２がオンされることなく長大形状の描画が完了すると、ステップＳ１０３７で、駆動制御部３１は描画のための軌跡駆動を終了する。
【手続補正書】
【提出日】平成21年11月26日(2009.11.26)
【手続補正１】
【補正対象書類名】特許請求の範囲
【補正対象項目名】全文
【補正方法】変更
【補正の内容】
【特許請求の範囲】
【請求項１】
被写体を撮像する撮像手段と、
音を放音するスピーカと、
前記スピーカから音データを放音させる放音制御手段と、
音を集音するマイクロフォンと、
前記撮像手段により撮像された画像データと前記マイクロフォンにより集音された音データとを関連付けて記録手段に記録する記録制御手段と、
前記マイクロフォンにより集音された音データが前記記録制御手段により前記記録手段に記録されている最中に、前記放音制御手段により放音された音データを、前記マイクロフォンにより集音された音データから減算する減算手段と、
を備えたことを特徴とする撮像装置。
【請求項２】
前記減算手段は、
前記記録手段による前記マイクロフォンにより集音された音データの記録後に、減算を実行することを特徴とする請求項１記載の撮像装置。
【請求項３】
前記記録制御手段により記録された音データを再生する再生手段を備え、
前記減算手段は、
前記記録手段に記録された音データを再生する際に、減算を実行し、
前記再生手段は、
前記減算手段により減算された音データを再生すること特徴とする請求項２記載の撮像装置。
【請求項４】
前記減算手段は、
前記マイクロフォンにより集音された音データが前記記録手段に記録される前に減算を実行し、
前記記録制御手段は、
前記減算手段により減算された音データを前記記録手段に記録することを特徴とする請求項１記載の撮像装置。
【請求項５】
前記スピーカから放音させる音データと逆位相の音データを生成する生成手段を備え、
前記スピーカは、
被写体側に向けられた第１のスピーカと、撮影者側に向けられた第２のスピーカとを有し、
前記放音制御手段は、
前記第１のスピーカから前記放音させる音データを放音させ、前記第２のスピーカから前記生成手段により生成された逆位相の音データを放音させることを特徴とする請求項１乃至４の何れかに記載の撮像装置。
【請求項６】
前記マイクロフォンにより集音された音データに対して音声認識を行なう音声認識手段を備え、
前記減算手段は、
前記マイクロフォンにより集音された音データが前記記録制御手段により前記記録手段に記録されている最中に、音声認識手段による認識結果に基づいて、音声以外の周辺音を前記マイクロフォンにより集音された音データから減算することを特徴とする請求項１乃至５の何れかに記載の撮像装置。
【請求項７】
前記減算手段は、
音声以外の周辺音のうち、前記放音制御手段により放音された音データ以外の音データを前記マイクロフォンにより集音された音データから減算するととともに、前記放音制御手段により放音された音データも前記マイクロフォンにより集音された音データから減算することを特徴とする請求項６記載の撮像装置。
【請求項８】
前記マイクロフォンにより集音された音データに対して音声認識を行なう音声認識手段を備え、
前記減算手段は、
前記マイクロフォンにより集音された音データが前記記録制御手段により前記記録手段に記録されている最中に、音声認識手段による認識結果に基づいて、複数の音声のうち、音レベルの高い音声を、前記マイクロフォンにより集音された音データから減算することを特徴とする請求項１乃至５の何れかに記載の撮像装置。
【請求項９】
被写体を撮像する撮像手段と、音を放音するスピーカと、音を集音するマイクロフォンと、を備えた撮像装置を実行させるためのプログラムであって、
前記スピーカから音データを放音させる放音制御処理と、
前記撮像手段により撮像された画像データと前記マイクロフォンにより集音された音データとを関連付けて記録媒体に記録する記録制御処理と、
前記マイクロフォンにより集音された音データが前記記録制御処理により前記記録媒体に記録されている最中に、前記放音制御処理により放音された音データを、前記マイクロフォンにより集音された音データから減算する減算処理と、
を含むことを特徴とするプログラム。
【手続補正２】
【補正対象書類名】明細書
【補正対象項目名】０００７
【補正方法】変更
【補正の内容】
【０００７】
また、例えば、請求項４に記載されているように、前記減算手段は、
前記マイクロフォンにより集音された音データが前記記録手段に記録される前に減算を実行し、
前記記録制御手段は、
前記減算手段により減算された音データを前記記録手段に記録するようにしてもよい。
【手続補正３】
【補正対象書類名】明細書
【補正対象項目名】０００８
【補正方法】変更
【補正の内容】
【０００８】
また、例えば、請求項２に記載されているように、前記減算手段は、
前記記録手段による前記マイクロフォンにより集音された音データの記録後に、減算を実行するようにしてもよい。
【手続補正４】
【補正対象書類名】明細書
【補正対象項目名】０００９
【補正方法】変更
【補正の内容】
【０００９】
また、例えば、請求項３に記載されているように、前記記録制御手段により記録された音データを再生する再生手段を備え、
前記減算手段は、
前記記録手段に記録された音データを再生する際に、減算を実行し、
前記再生手段は、
前記減算手段により減算された音データを再生するようにしてもよい。
【手続補正書】
【提出日】平成22年4月27日(2010.4.27)
【手続補正１】
【補正対象書類名】特許請求の範囲
【補正対象項目名】全文
【補正方法】変更
【補正の内容】
【特許請求の範囲】
【請求項１】
複数枚の原稿を連続して読み取り可能な読取手段を有する原稿読取システムにおいて、
頁番号情報、総頁数情報、原稿特定情報からなる原稿情報を原稿印刷時に印刷データに埋め込んで印刷可能な情報埋込手段と；
上記読取手段で読み取った原稿の画像データから上記埋込手段によって埋め込まれた上記原稿情報を抽出する抽出手段と；
上記原稿の画像データと、上記抽出手段により抽出された上記原稿情報とから成る電子ファイルを生成する電子ファイル生成手段と；
上記電子ファイルを保存する保存手段と；
上記電子ファイルが保持する上記原稿情報に基づいて、上記読み取った原稿の頁欠けを検出する検出手段と；
上記検出手段が検出した頁欠け箇所を表示する頁欠け表示手段と；
上記頁欠け表示手段に表示されている欠け頁の再読み取りを促し、原稿の再読み取りを実行する制御手段と；
を有することを特徴とする原稿読取システム。
【請求項２】
請求項１において、
上記抽出手段により抽出された原稿情報の原稿特定情報と同じ原稿特定情報を有する電子ファイルが上記保存手段に保存されているかどうかを検索する検索手段を更に有し、
上記電子ファイル生成手段は、上記検索手段により同じ原稿特定情報を有する電子ファイルが見つかった場合には、読み取った原稿画像データと原稿情報とを上記電子ファイルに追加することを特徴とする原稿読取システム。
【請求項３】
請求項１において、
上記原稿特定情報は、上記原稿を、一意に特定できる情報であることを特徴とする原稿読取システム。
【請求項４】
請求項１において、
上記頁欠け表示手段は、頁欠けが発生した頁番号と、当該欠けた頁の前後の原稿画像データのサムネイルとを表示する手段であることを特徴とする原稿読取システム。
【請求項５】
請求項１において、
上記原稿情報は原稿が両面原稿である場合に両面原稿の表の頁と裏の頁とで対となる対頁番号情報をさらに有し、
上記検出手段は、上記電子ファイル内に上記対頁番号情報に該当する原稿画像データの存在の有無を検出し、
上記制御手段は、上記対頁番号に該当する原稿画像データを上記検出手段が検出できなかった場合に、上記読取手段が両面原稿の片面のみを読み込んだと判断し、両面原稿の裏面の読取りを促し、両面原稿の裏面の読取りの実行を制御することを特徴とする原稿読取システム。
【請求項６】
複数枚の原稿を連続して読み取る読取工程を有する原稿読取システムの制御方法において、
頁番号情報、総頁数情報、原稿特定情報からなる原稿情報を原稿印刷時に印刷データに埋め込んで印刷可能な情報埋込工程と；
上記読取工程で読み取った原稿の画像データから上記埋込工程によって埋め込まれた上記原稿情報を抽出する抽出工程と；
上記原稿の画像データと、上記抽出工程により抽出された上記原稿情報とから成る電子ファイルを生成する電子ファイル生成工程と；
上記電子ファイルを保存する保存工程と；
上記電子ファイルが保持する上記原稿情報に基づいて、上記読み取った原稿の頁欠けを検出する検出工程と；
上記検出工程で検出した頁欠け箇所を表示する頁欠け表示工程と；
上記頁欠け表示工程で表示されている欠け頁の再読み取りを促し、原稿の再読み取りを実行する制御工程と；
を有することを特徴とする原稿読取システムの制御方法。
【手続補正２】
【補正対象書類名】明細書
【補正対象項目名】００１２
【補正方法】変更
【補正の内容】
【００１２】
本発明の原稿読取システムは、複数枚の原稿を連続して読み取り可能な読取手段を有する原稿読取システムにおいて、頁番号情報、総頁数情報、原稿特定情報からなる原稿情報を原稿印刷時に印刷データに埋め込んで印刷可能な情報埋込手段と、上記読取手段で読み取った原稿の画像データから上記埋込手段によって埋め込まれた上記原稿情報を抽出する抽出手段と、上記原稿の画像データと、上記抽出手段により抽出された上記原稿情報とから成る電子ファイルを生成する電子ファイル生成手段と、上記電子ファイルを保存する保存手段と、上記電子ファイルが保持する上記原稿情報に基づいて、上記読み取った原稿の頁欠けを検出する検出手段と、上記検出手段が検出した頁欠け箇所を表示する頁欠け表示手段と、上記頁欠け表示手段に表示されている欠け頁の再読み取りを促し、原稿の再読み取りを実行する制御手段とを有することを特徴とする。
【手続補正書】
【提出日】平成22年5月6日(2010.5.6)
【手続補正１】
【補正対象書類名】特許請求の範囲
【補正対象項目名】全文
【補正方法】変更
【補正の内容】
【特許請求の範囲】
【請求項１】
干渉ノイズ信号成分の周期に従って、積分する画像データの水平ライン数を決定する水平ライン数決定手段と、
固体撮像素子から得られる画像データの有効画素領域ではない領域の、前記決定された水平ライン数の画像データを積分する積分手段と、
前記積分手段で積分して得られた積分データを記憶する記憶手段と、
前記固体撮像素子から得られる前記有効画素領域の画像データから、前記記憶手段に記憶された前記積分データを減算する減算手段と、を有し、
前記減算手段は、前記固体撮像素子から得られる前記有効画素領域の画像データと前記積分データの位相を合わせて減算を実行する、ことを特徴とするノイズ除去装置。
【請求項２】
前記画像データの前記有効画素領域ではない領域の画像データは、前記固体撮像素子における垂直方向の光学的黒の画素領域、或いは前記固体撮像素子におけるダミー画素領域の画像データである、ことを特徴とする請求項１に記載のノイズ除去装置。
【請求項３】
前記積分手段は、動作している間に、システムクロック信号の周波数が変化した場合、周囲の温度の変化があった場合、或いは前記画像データを増幅する増幅手段のゲインが変化した場合には、前記積分の動作をやり直す、ことを特徴とする請求項１又は２に記載のノイズ除去装置。
【請求項４】
ノイズ除去装置におけるノイズ除去方法であって、
水平ライン数決定手段が、干渉ノイズ信号成分の周期に従って、積分する画像データの水平ライン数を決定する水平ライン数決定工程と、
積分手段が、固体撮像素子から得られる画像データの有効画素領域ではない領域の、前記決定された水平ライン数の画像データを積分する積分工程と、
記憶手段が、前記積分工程で積分して得られた積分データを記憶する記憶工程と、
減算手段が、前記固体撮像素子から得られる前記有効画素領域の画像データから、前記記憶工程で記憶された前記積分データを減算する減算工程と、を有し、
前記減算工程は、前記固体撮像素子から得られる前記有効画素領域の画像データと前記積分データの位相を合わせて減算を実行する、ことを特徴とするノイズ除去方法。
【請求項５】
前記画像データの前記有効画素領域ではない領域の画像データは、前記固体撮像素子における垂直方向の光学的黒の画素領域、或いは前記固体撮像素子におけるダミー画素領域の画像データである、ことを特徴とする請求項４に記載のノイズ除去方法。
【請求項６】
前記積分工程は、動作している間に、システムクロック信号の周波数が変化した場合、周囲の温度の変化があった場合、或いは前記画像データを増幅する増幅手段のゲインが変化した場合には、前記積分の動作をやり直す、ことを特徴とする請求項４又は５に記載のノイズ除去方法。
【手続補正２】
【補正対象書類名】明細書
【補正対象項目名】０００６
【補正方法】変更
【補正の内容】
【０００６】
上記の目的を達成するため、本発明の実施形態におけるノイズ除去装置は、
干渉ノイズ信号成分の周期に従って、積分する画像データの水平ライン数を決定する水平ライン数決定手段と、
固体撮像素子から得られる画像データの有効画素領域ではない領域の、前記決定された水平ライン数の画像データを積分する積分手段と、
前記積分手段で積分して得られた積分データを記憶する記憶手段と、
前記固体撮像素子から得られる前記有効画素領域の画像データから、前記記憶手段に記憶された前記積分データを減算する減算手段と、を有し、
前記減算手段は、前記固体撮像素子から得られる前記有効画素領域の画像データと前記積分データの位相を合わせて減算を実行する、ことを特徴とする。
【手続補正３】
【補正対象書類名】明細書
【補正対象項目名】０００７
【補正方法】変更
【補正の内容】
【０００７】
上記の目的を達成するため、本発明の他の実施形態におけるノイズ除去方法は、ノイズ除去装置におけるノイズ除去方法であって、
水平ライン数決定手段が、干渉ノイズ信号成分の周期に従って、積分する画像データの水平ライン数を決定する水平ライン数決定工程と、
積分手段が、固体撮像素子から得られる画像データの有効画素領域ではない領域の、前記決定された水平ライン数の画像データを積分する積分工程と、
記憶手段が、前記積分工程で積分して得られた積分データを記憶する記憶工程と、
減算手段が、前記固体撮像素子から得られる前記有効画素領域の画像データから、前記記憶工程で記憶された前記積分データを減算する減算工程と、を有し、
前記減算工程は、前記固体撮像素子から得られる前記有効画素領域の画像データと前記積分データの位相を合わせて減算を実行する、ことを特徴とする。
【手続補正書】
【提出日】平成22年4月22日(2010.4.22)
【手続補正１】
【補正対象書類名】特許請求の範囲
【補正対象項目名】全文
【補正方法】変更
【補正の内容】
【特許請求の範囲】
【請求項１】
被写体を撮像して画像データを取得する撮像手段と、
走行することで前記撮像手段の撮像面を遮光する遮光手段と、
通電されることで生じる電磁力により前記遮光手段を走行前の所定位置に保持する保持機構と、
前記保持機構への通電制御を行う通電制御手段と、
所定の操作がなされてから予め設定された時間が経過した後で撮影を開始させる撮影制御手段と、
前記撮像手段により取得された画像データに基づく画像を表示する表示手段と、を有し、
前記保持機構への通電を行い前記遮光手段を前記所定位置に保持し、前記撮像手段により取得された画像データに基づく画像を前記表示手段に逐次表示している際に前記所定の操作がなされた場合、前記通電制御手段は、前記撮影制御手段により撮影が開始される前に前記保持機構への通電を解除し、当該通電を解除した後撮影が開始される前に再度前記保持機構への通電を行うことを特徴とする撮像装置。
【請求項２】
前記保持機構への通電を行い前記遮光手段を前記所定位置に保持し、前記撮像手段により取得された画像データに基づく画像を前記表示手段に逐次表示している際に前記所定の操作がなされた場合、前記通電制御手段は、前記所定の操作がなされた直後に前記保持機構への通電を解除することを特徴とする請求項１に記載の撮像装置。
【請求項３】
前記保持機構への通電を行い前記遮光手段を前記所定位置に保持し、前記撮像手段により取得された画像データに基づく画像を前記表示手段に逐次表示している際に前記所定の操作がなされた場合、前記通電制御手段は、前記撮影制御手段により撮影が開始される直前に再度前記保持機構への通電を行うことを特徴とする請求項１または２に記載の撮像装置。
【請求項４】
ファインダ光学系と、
被写体からの光束を前記ファインダ光学系に導く第１の位置および被写体からの光束を前記撮像手段に向かわせる第２の位置に移動可能な光路切換部材と、を有し、
前記光路切換部材を前記第２の位置に移動させ、前記保持機構への通電を行い前記遮光手段を前記所定位置に保持し、前記撮像手段により取得された画像データに基づく画像を前記表示手段に逐次表示している際に前記所定の操作がなされた場合、前記通電制御手段により前記保持機構への通電を解除してから再度前記保持機構への通電を行うまでの間に前記光路切換部材を前記第１の位置に移動させることを特徴とする請求項１に記載の撮像装置。
【請求項５】
ファインダ光学系と、
被写体からの光束を前記ファインダ光学系に導く第１の位置および被写体からの光束を前記撮像手段に向かわせる第２の位置に移動可能な光路切換部材と、を有し、
前記光路切換部材を前記第２の位置に移動させ、前記保持機構への通電を行い前記遮光手段を前記所定位置に保持し、前記撮像手段により取得された画像データに基づく画像を前記表示手段に逐次表示している際に前記所定の操作がなされた場合、前記通電制御手段により再度前記保持機構への通電を行うまでの間に前記光路切換部材を前記第１の位置に移動させ、前記通電制御手段により再度前記保持機構への通電を行ってから前記撮影制御手段により撮影が開始されるまでの間に前記光路切換部材を前記第２の位置に移動させることを特徴とする請求項１に記載の撮像装置。
【請求項６】
前記所定の操作は、セルフタイマー撮影を指示する操作であることを特徴とする請求項１ないし５のいずれか１項に記載の撮像装置。
【請求項７】
被写体を撮像して画像データを取得する撮像手段と、走行することで前記撮像手段の撮像面を遮光する遮光手段と、通電されることで生じる電磁力により前記遮光手段を走行前の所定位置に保持する保持機構と、前記撮像手段により取得された画像データに基づく画像を表示する表示手段と、を有する撮像装置の制御方法であって、
前記保持機構への通電制御を行う通電制御ステップと、
所定の操作がなされてから予め設定された時間が経過した後で撮影を開始させる撮影制御ステップと、を有し、
前記保持機構への通電を行い前記遮光手段を前記所定位置に保持し、前記撮像手段により取得された画像データに基づく画像を前記表示手段に逐次表示している際に前記所定の操作がなされた場合、前記通電制御ステップでは、前記撮影制御ステップにより撮影が開始される前に前記保持機構への通電を解除し、当該通電を解除した後撮影が開始される前に再度前記保持機構への通電を行うことを特徴とする撮像装置の制御方法。
【手続補正２】
【補正対象書類名】明細書
【補正対象項目名】００１７
【補正方法】変更
【補正の内容】
【００１７】
上記課題を解決するため、本発明に係る撮像装置は、被写体を撮像して画像データを取得する撮像手段と、走行することで前記撮像手段の撮像面を遮光する遮光手段と、通電されることで生じる電磁力により前記遮光手段を走行前の所定位置に保持する保持機構と、前記保持機構への通電制御を行う通電制御手段と、所定の操作がなされてから予め設定された時間が経過した後で撮影を開始させる撮影制御手段と、前記撮像手段により取得された画像データに基づく画像を表示する表示手段と、を有し、前記保持機構への通電を行い前記遮光手段を前記所定位置に保持し、前記撮像手段により取得された画像データに基づく画像を前記表示手段に逐次表示している際に前記所定の操作がなされた場合、前記通電制御手段は、前記撮影制御手段により撮影が開始される前に前記保持機構への通電を解除し、当該通電を解除した後撮影が開始される前に再度前記保持機構への通電を行うことを特徴とする。
【手続補正３】
【補正対象書類名】明細書
【補正対象項目名】００１８
【補正方法】変更
【補正の内容】
【００１８】
また、上記課題を解決するため、本発明に係る撮像装置の制御方法は、被写体を撮像して画像データを取得する撮像手段と、走行することで前記撮像手段の撮像面を遮光する遮光手段と、通電されることで生じる電磁力により前記遮光手段を走行前の所定位置に保持する保持機構と、前記撮像手段により取得された画像データに基づく画像を表示する表示手段と、を有する撮像装置の制御方法であって、前記保持機構への通電制御を行う通電制御ステップと、所定の操作がなされてから予め設定された時間が経過した後で撮影を開始させる撮影制御ステップと、を有し、前記保持機構への通電を行い前記遮光手段を前記所定位置に保持し、前記撮像手段により取得された画像データに基づく画像を前記表示手段に逐次表示している際に前記所定の操作がなされた場合、前記通電制御ステップでは、前記撮影制御ステップにより被写体の撮影が開始される前に前記保持機構への通電を解除し、当該通電を解除した後撮影が開始される前に再度前記保持機構への通電を行うことを特徴とする。
【手続補正４】
【補正対象書類名】明細書
【補正対象項目名】００１９
【補正方法】変更
【補正の内容】
【００１９】
本発明によれば、遠隔操作により撮影開始指示がなされた後、実際に撮像が開始される前に、電磁石への通電を停止して後幕の保持状態を一旦解除することにより、熱による切れ特性の変化を抑え、露光ムラの発生を抑制することができる。
【手続補正書】
【提出日】平成22年5月6日(2010.5.6)
【手続補正１】
【補正対象書類名】特許請求の範囲
【補正対象項目名】全文
【補正方法】変更
【補正の内容】
【特許請求の範囲】
【請求項１】
留守番電話機能を有する通信装置において、
前記留守番電話機能を設定した状態で着信があった場合に、当該着信中に前記留守番電話機能を解除する操作が行われたか否か、又は前記留守番電話機能が解除された状態で着信があった場合に、当該着信中に前記留守番電話機能を設定する操作が行われたか否かを判定する手段と、
前記着信中に前記留守番電話機能を解除する操作が行われたと判定した場合、前記留守番電話機能による自動応答を行わないように制御し、前記着信中に前記留守番電話機能を設定する操作が行われたと判定した場合、前記留守番電話機能による自動応答を行うように制御する手段とを有し、
前記着信が終了した後は、前記留守番電話機能を当該着信があった前の状態とすることを特徴とする通信装置。
【請求項２】
複数の子機を備え、
前記着信中に前記留守番電話機能を解除する操作が行われた場合、前記複数の子機のいずれかがその着信に応答可能であることを特徴とする請求項１記載の通信装置。
【請求項３】
前記留守番電話機能を解除する操作又は設定する操作は、前記通信装置又は前記複数の子機のいずれかにより行われる操作であることを特徴とする請求項１又は２記載の通信装置。
【請求項４】
留守番電話機能を有する通信装置の制御方法であって、
判定する手段が、前記留守番電話機能を設定した状態で着信があった場合に、当該着信中に前記留守番電話機能を解除する操作が行われたか否か、又は前記留守番電話機能が解除された状態で着信があった場合に、当該着信中に前記留守番電話機能を設定する操作が行われたか否かを判定する工程と、
制御する手段が、前記着信中に前記留守番電話機能を解除する操作が行われたと判定した場合、前記留守番電話機能による自動応答を行わないように制御し、前記着信中に前記留守番電話機能を設定する操作が行われたと判定した場合、前記留守番電話機能による自動応答を行うように制御する工程とを有し、
前記着信が終了した後は、前記留守番電話機能を当該着信があった前の状態とすることを特徴とする通信装置の制御方法。
【請求項５】
請求項４記載の通信装置の制御方法をコンピュータに実行させるためのプログラム。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
本発明は、上記課題を解決するためになされたもので、特定の着信に対する留守番電話機能を解除又は設定可能とすることを目的とする。
【手続補正４】
【補正対象書類名】明細書
【補正対象項目名】０００９
【補正方法】変更
【補正の内容】
【０００９】
本発明は、留守番電話機能を有する通信装置において、前記留守番電話機能を設定した状態で着信があった場合に、当該着信中に前記留守番電話機能を解除する操作が行われたか否か、又は前記留守番電話機能が解除された状態で着信があった場合に、当該着信中に前記留守番電話機能を設定する操作が行われたか否かを判定する手段と、前記着信中に前記留守番電話機能を解除する操作が行われたと判定した場合、前記留守番電話機能による自動応答を行わないように制御し、前記着信中に前記留守番電話機能を設定する操作が行われたと判定した場合、前記留守番電話機能による自動応答を行うように制御する手段とを有し、前記着信が終了した後は、前記留守番電話機能を当該着信があった前の状態とすることを特徴とする。
【手続補正５】
【補正対象書類名】明細書
【補正対象項目名】００１０
【補正方法】変更
【補正の内容】
【００１０】
また、本発明は、留守番電話機能を有する通信装置の制御方法であって、判定する手段が、前記留守番電話機能を設定した状態で着信があった場合に、当該着信中に前記留守番電話機能を解除する操作が行われたか否か、又は前記留守番電話機能が解除された状態で着信があった場合に、当該着信中に前記留守番電話機能を設定する操作が行われたか否かを判定する工程と、制御する手段が、前記着信中に前記留守番電話機能を解除する操作が行われたと判定した場合、前記留守番電話機能による自動応答を行わないように制御し、前記着信中に前記留守番電話機能を設定する操作が行われたと判定した場合、前記留守番電話機能による自動応答を行うように制御する工程とを有し、前記着信が終了した後は、前記留守番電話機能を当該着信があった前の状態とすることを特徴とする。
【手続補正６】
【補正対象書類名】明細書
【補正対象項目名】００１１
【補正方法】変更
【補正の内容】
【００１１】
本発明によれば、特定の着信に対する留守番電話機能を解除又は設定可能とすることができる。
【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
２以上の視点から撮影された多視点画像および単一の視点から撮影された単視点画像を含む画像を撮影可能な撮影部と、
前記撮影部の撮影した多視点画像または単視点画像である本画像を記憶する本画像記憶部と、
前記本画像記憶部に記憶された本画像が多視点画像であるか単視点画像であるかを識別する画像識別部と、
前記画像識別部が多視点画像と識別した画像中の被写体が遠距離または近距離にあるかを識別する距離識別部と、
前記本画像を縮小した第１の縮小画像を作成した上、前記画像識別部が多視点画像であると識別しかつ前記距離識別部が被写体が近距離にあると識別した本画像から作成された第１の縮小画像に対し、３次元コンピュータグラフィック処理を施すことで、第２の縮小画像を作成する画像処理部と、
前記画像識別部による前記多視点画像または前記単視点画像の識別と前記距離識別部による前記被写体の距離の識別とに応じ、前記画像処理部の作成した第１の縮小画像または第２の縮小画像を記憶する縮小画像記憶部と、
前記縮小画像記憶部に記憶された第１の縮小画像または第２の縮小画像と前記本画像記憶部に記憶された本画像とを対応づけて記録する記録部と、
を備える画像記録装置。
【請求項２】
前記記録部は、前記画像識別部が多視点画像であると識別した本画像については、前記距離識別部が被写体が近距離にあると識別した本画像についてのみ記録する請求項１に記載の画像記録装置。
【請求項３】
前記画像識別部が多視点画像であると識別しかつ前記距離識別部が被写体が遠距離にあると識別した本画像は記録しない旨の警告を通知する通知部をさらに備える請求項２に記載の画像記録装置。
【請求項４】
２以上の視点から撮影された多視点画像および単一の視点から撮影された単視点画像を含む画像を撮影するステップと、
撮影した多視点画像または単視点画像である本画像を記憶するステップと、
記憶された本画像が多視点画像であるか単視点画像であるかを識別するステップと、
前記多視点画像と識別した画像中の被写体が遠距離または近距離にあるかを識別するステップと、
前記本画像を縮小した第１の縮小画像を作成した上、前記多視点画像であると識別しかつ前記被写体が近距離にあると識別した本画像から作成された第１の縮小画像に対し、３次元コンピュータグラフィック処理を施すことで、第２の縮小画像を作成するステップと、
前記多視点画像または前記単視点画像の識別と前記被写体の距離の識別とに応じ、前記第１の縮小画像または第２の縮小画像を記憶するステップと、
前記記憶された第１の縮小画像または第２の縮小画像と前記記憶された本画像とを対応づけて記録するステップと、
を含む画像記録方法。
【請求項５】
前記多視点画像であると識別した本画像については、前記被写体が近距離にあると識別した本画像についてのみ記録する請求項４に記載の画像記録方法。
【請求項６】
前記多視点画像であると識別しかつ前記被写体が遠距離にあると識別した本画像は記録しない旨の警告を通知するステップをさらに含む請求項５に記載の画像記録方法。
【請求項７】
コンピュータが、
２以上の視点から撮影された多視点画像および単一の視点から撮影された単視点画像を含む画像を撮影するステップと、
撮影した多視点画像または単視点画像である本画像を記憶するステップと、
記憶された本画像が多視点画像であるか単視点画像であるかを識別するステップと、
前記多視点画像と識別した画像中の被写体が遠距離または近距離にあるかを識別するステップと、
前記本画像を縮小した第１の縮小画像を作成した上、前記多視点画像であると識別しかつ前記被写体が近距離にあると識別した本画像から作成された第１の縮小画像に対し、３次元コンピュータグラフィック処理を施すことで、第２の縮小画像を作成するステップと、
前記多視点画像または前記単視点画像の識別と前記被写体の距離の識別とに応じ、前記第１の縮小画像または第２の縮小画像を記憶するステップと、
前記記憶された第１の縮小画像または第２の縮小画像と前記記憶された本画像とを対応づけて記録するステップと、
を実行する画像記録プログラム。
【請求項８】
前記多視点画像であると識別した本画像については、前記被写体が近距離にあると識別した本画像についてのみ記録する請求項７に記載の画像記録プログラム。
【請求項９】
前記多視点画像であると識別しかつ前記被写体が遠距離にあると識別した本画像は記録しない旨の警告を通知するステップをさらに含む請求項８に記載の画像記録プログラム。
【手続補正書】
【提出日】平成22年4月27日(2010.4.27)
【手続補正１】
【補正対象書類名】特許請求の範囲
【補正対象項目名】全文
【補正方法】変更
【補正の内容】
【特許請求の範囲】
【請求項１】
撮像光学系により結像された被写体像を光電変換する撮像素子と、
前記撮像素子により得られる被写体画像に含まれる輝点を用いて前記被写体画像に描画する一つの図形を複数の図形から選択するための選択手段と、
前記撮像素子に結像される被写体像と前記撮像素子とを相対的に移動させるための移動手段と、
前記選択手段によって選択された図形の軌跡に従って、前記移動手段を制御して前記撮像素子に結像される被写体像と前記撮像素子とを相対的に移動させる制御手段と、
手振れを検出する手振れ検出手段と、
前記手振れ検出手段からの出力に基づいて、前記手振れを打ち消すための補正量を算出する算出手段と、
前記選択手段によって選択された図形の大きさを前記補正量に応じて変更する変更手段と、
前記制御手段は、前記選択手段によって選択された図形の大きさが前記変更手段によって変更された場合、前記変更手段により変更された図形が描画されるように前記移動手段の駆動を制御することを特徴とする撮像装置。
【請求項２】
前記選択手段によって選択された図形を描画するための軌跡は前記移動手段を駆動させるための移動量を含み、
前記変更手段は、前記移動量を前記算出手段により算出された補正量に応じて縮小することにより前記選択された図形の大きさの変更を行うことを特徴とする請求項１に記載の撮像装置。
【請求項３】
前記変更手段は、前記補正量と前記移動量とを加算した加算移動量が、前記移動手段による前記撮像素子に結像される被写体像と前記撮像素子とが相対的に移動可能な範囲内となるように、前記選択手段により選択された図形の大きさの縮小を行うことを特徴とする請求項２に記載の撮像装置。
【請求項４】
撮像光学系により結像された被写体像を光電変換する撮像素子と、前記撮像素子に結像される被写体像と前記撮像素子とを相対的に移動させるための移動手段とを有する撮像装置の制御方法であって、
前記撮像素子により得られる被写体画像に含まれる輝点を用いて前記被写体画像に描画するために複数の図形から選ばれた一つの図形を受け付ける選択工程と、
前記選択工程によって選択された図形が描画されるように前記移動手段の駆動を制御して、前記撮像素子に結像される被写体像と前記撮像素子とを相対的に移動させる制御工程と、
手振れを検出する手振れ検出工程と、
前記手振れ検出工程での出力に基づいて、前記手振れを打ち消すための補正量を算出する算出工程と、
前記選択工程によって選択された図形の大きさを前記算出工程で算出した補正量に応じて変更する変更工程と、
前記制御工程は、前記選択手段によって選択された図形の大きさが前記変更手段によって変更された場合、前記変更工程で変更した図形が描画されるように前記移動手段の駆動を制御することを特徴とする制御方法。
【請求項５】
請求項４に記載の制御方法をコンピュータに実行させることを特徴とするプログラム。
【手続補正２】
【補正対象書類名】明細書
【補正対象項目名】０００７
【補正方法】変更
【補正の内容】
【０００７】
上記目的を達成するために、請求項１に記載の撮像装置は、撮像光学系により結像された被写体像を光電変換する撮像素子と、前記撮像素子により得られる被写体画像に含まれる輝点を用いて前記被写体画像に描画する一つの図形を複数の図形から選択するための選択手段と、前記撮像素子に結像される被写体像と前記撮像素子とを相対的に移動させるための移動手段と、前記選択手段によって選択された図形の軌跡に従って、前記移動手段を制御して前記撮像素子に結像される被写体像と前記撮像素子とを相対的に移動させる制御手段と、手振れを検出する手振れ検出手段と、前記手振れ検出手段からの出力に基づいて、前記手振れを打ち消すための補正量を算出する算出手段と、前記選択手段によって選択された図形の大きさを前記補正量に応じて変更する変更手段と、前記制御手段は、前記選択手段によって選択された図形の大きさが前記変更手段によって変更された場合、前記変更手段により変更された図形が描画されるように前記移動手段の駆動を制御することを特徴とする。
【手続補正３】
【補正対象書類名】明細書
【補正対象項目名】０００８
【補正方法】変更
【補正の内容】
【０００８】
上記目的を達成するために、請求項４に記載の撮像装置の制御方法は、撮像光学系により結像された被写体像を光電変換する撮像素子と、前記撮像素子に結像される被写体像と前記撮像素子とを相対的に移動させるための移動手段とを有する撮像装置の制御方法であって、前記撮像素子により得られる被写体画像に含まれる輝点を用いて前記被写体画像に描画するために複数の図形から選ばれた一つの図形を受け付ける選択工程と、前記選択工程によって選択された図形が描画されるように前記移動手段の駆動を制御して、前記撮像素子に結像される被写体像と前記撮像素子とを相対的に移動させる制御工程と、手振れを検出する手振れ検出工程と、前記手振れ検出工程での出力に基づいて、前記手振れを打ち消すための補正量を算出する算出工程と、前記選択工程によって選択された図形の大きさを前記算出工程で算出した補正量に応じて変更する変更工程と、前記制御工程は、前記選択手段によって選択された図形の大きさが前記変更手段によって変更された場合、前記変更工程で変更した図形が描画されるように前記移動手段の駆動を制御することを特徴とする。